(57)【特許請求の範囲】
【請求項１】
引き戸と該引き戸を摺動自在に収納する引き戸支持体とを有する引き戸装置において、上記引き戸（２１、２２）は、少なくとも第１の引き戸（２１）と第２の引き戸（２２）とを備えており、さらに上記引き戸装置は、上記第１及び第２の引き戸を開閉時に同期して移動可能とする連動機構を備え、
前記連動機構（４１、４３、４４ａ〜４４ｃ、４５ａ、４５ｂ、４６ａ、４６ｂ、４８）は、
駆動装置（４１）と、
上記駆動装置に連結されている駆動軸（４３）であって、前記第２の引き戸（２２）を貫通して設けられている駆動軸（４３）と、
上記駆動軸の回転力を伝達するように上記駆動軸上に設けられている第１の引き戸駆動用歯付回転部材（４４ａ、４４ｂ）及び第２の引き戸駆動用歯付回転部材（４４ｃ）からなる第１歯付回転部材（４４ａ〜４４ｃ）と、
上記第１の引き戸駆動用歯付回転部材に対応して上記第２の引き戸に回転自在に設けられている第２歯付回転部材（４５ａ、４５ｂ）と、
上記第１歯付回転部材の第１の引き戸駆動用歯付回転部材（４４ａ、４４ｂ）と上記第２歯付回転部材（４５ａ、４５ｂ）との間に装架されている回転力伝達部材（４６ａ、４６ｂ）と、
上記第２引き戸駆動用歯付回転部材（４４ｃ）を往復運動可能とするように前記引き戸支持体（３０）に設けられている歯付回転部材往復部（４８）と、
を備えることを特徴とする引き戸装置。
【請求項２】
前記第１の引き戸（２１）は、１枚の第１パネル部材（２１ａ）からなり、前記第２の引き戸（２２）は、２枚の第２パネル部材（２２ａ、２２ａ´）からなり、前記第１の引き戸（２１）は前記第２の引き戸（２２）を構成する２枚の第２パネル部材（２２ａ、２２ａ´）間に介在するように構成されている請求項１記載の引き戸装置。
【請求項３】
さらに、前記駆動装置（４１）から前記第１歯付回転部材（４４ａ〜４４ｃ）への駆動力伝達を遮断するクラッチ機構（４２）を備えることを特徴とする請求項１又は２記載の引き戸装置。
【請求項４】
前記歯付回転部材（４４ａ〜４４ｃ）は、スプロケットであることを特徴とする請求項３記載の引き戸装置。
【発明の詳細な説明】
【０００１】
【発明の属する技術分野】
本発明は、引き戸装置に関し、更に詳細には、審美性に優れ、引き戸の出し入れが容易で、しかも設置スペースが少なくてすむ引き戸装置に関する。
【０００２】
【従来の技術】
従来より、門扉などとして審美性に優れた引き戸装置が種々用いられている。
【０００３】
しかし、従来の引き戸装置は、単に一枚の引き戸と引き戸支持体とからなるものであったため、引き戸の収納には引き戸の全長にわたるオープンスペースが必要となり、引き戸装置の設置には大きなスペースが必要であるという問題があった。また、引き戸の長さが長くなると、引き戸の開閉に大きな力を要する等、引き戸の出し入れが容易でないという問題もあった。
【０００４】
【発明が解決しようとする課題】
したがって、本発明の目的は、審美性に優れ、引き戸の開閉が容易で、しかも設置スペースが小さくて済む引き戸装置を提供することにある。
【０００５】
また本発明の目的は、引き戸の開閉が迅速に行える引き戸装置を提供することにある。
【０００６】
さらに本発明の目的は、必要に応じて、引き戸の開閉の速度を変えることができる引き戸装置を提供することにある。
【０００７】
【課題を解決するための手段】
本発明は、引き戸と該引き戸を摺動自在に収納する引き戸支持体とを有する引き戸装置において、上記引き戸は、少なくとも第１の引き戸と第２の引き戸とを備えており、さらに上記引き戸装置は、上記第１及び第２の引き戸を開閉時に同期して移動可能とする連動機構を備え、前記連動機構は、駆動装置（４１）と、上記駆動装置に連結されている駆動軸（４３）であって、前記第２の引き戸（２２）を貫通して設けられている駆動軸（４３）と、上記駆動軸の回転力を伝達するように上記駆動軸上に設けられている第１の引き戸駆動用歯付回転部材（４４ａ、４４ｂ）及び第２の引き戸駆動用歯付回転部材（４４ｃ）からなる第１歯付回転部材（４４ａ〜４４ｃ）と、上記第１の引き戸駆動用歯付回転部材に対応して上記第２の引き戸に回転自在に設けられている第２歯付回転部材（４５ａ、４５ｂ）と、上記第１歯付回転部材の第１の引き戸駆動用歯付回転部材（４４ａ、４４ｂ）と上記第２歯付回転部材（４５ａ、４５ｂ）との間に装架されている回転力伝達部材（４６ａ、４６ｂ）と、上記第２引き戸駆動用歯付回転部材（４４ｃ）を往復運動可能とするように前記引き戸支持体（３０）に設けられている歯付回転部材往復部（４８）と、を備えることを特徴とする引き戸装置を提供することにより、上記目的を達成したものである。
【０００８】
前記第１の引き戸は、１枚の第１パネル部材からなり、前記第２の引き戸は、２枚の第２パネル部材からなり、前記第１の引き戸は前記第２の引き戸を構成する２枚の第２パネル部材間に介在するように構成されていることが好ましい。
【０００９】
本発明の一実施形態において、上記駆動装置は駆動モーターであり、上記歯付回転部材はスプロケットであり、上記回転力伝達部材は無端チェーンである。しかし、上記回転力伝達部材は無端チェーンに限られず、第１歯付回転部材及び第２歯付回転部材と噛合して、第１歯付回転部材の回転力を得て自ら回転し、その回転力を第２歯付回転部材に伝達できるものであればよい。また、歯付回転部材は、スプロケットに限られず、回転力伝達部材と噛合う部分、好ましくは凸部又は凹部を備えるものでよい。例えば、各歯付回転部材がスプロケットの場合には回転力伝達部材は無端チェーンが好ましく、各歯付回転部材がプーリの場合には無端ベルトが好ましい。
【００１０】
さらに、前記駆動装置から前記第１歯付回転部材への駆動力伝達を遮断するクラッチ機構を備えることが好ましい。
【００１１】
さらに、前記歯付回転部材は、スプロケットであることが好ましい。
【００１２】
【発明の実施の形態】
以下、本発明の好ましい１実施形態について説明する。
【００１３】
本実施形態の引き戸装置１は、図１〜図４に示すように、引き戸２０と該引き戸２０を摺動自在に収納する引き戸支持体３０とを有する。
【００１４】
上記引き戸２０は、第１の引き戸２１と第２の引き戸２２とからなる。また、上記引き戸装置１は、上記第１及び第２の引き戸２１及び２２を開閉時に同期して移動可能とする連動機構４０を備えている。
【００１５】
更に詳述すると、引き戸支持体３０は、図１〜図４に示すように、６面体形状であり、一面が開放されて開口部３１が形成されている。
【００１６】
また、図１及び図２に示すように、上記第１の引き戸２１は、１枚の第１パネル部材２１ａからなり、上記第２の引き戸２２は、２枚の第２パネル部材２２ａ，２２ａ’からなり、上記第１のパネル部材２１ａは上記２枚の第２パネル部材２２ａ，２２ａ’間に介在されている。上記第１及び第２のパネル部材２１ａ，２２ａ，２２ａ’は、それぞれ、上辺、下辺及び一対の側辺からなる長方形状の枠体を有する縦格子状のパネルであり、該第２のパネル部材２２ａ，２２ａ’は、該第１のパネル部材２１ａよりも一回り大きくなされている。また、第２のパネル部材２２ａ，２２ａ’は、それらの上辺及び下辺における引き戸支持体３０の開口部３１側の縁部において上方連結部材２２ｂ及び下方連結部材２２ｃを介して連結されている。
【００１７】
また、第１のパネル部材２１ａには、図３に示すように、上辺及び下辺の外方側に該上辺及び該下辺の長手方向に沿った線状の凸部２１ｂが設けられている。この凸部２１ｂに対応するように上方及び下方連結部材２２ｂ、２２ｃにそれぞれガイドレール２２ｅが設けられている。また、第２のパネル部材２２ａ，２２ａ’には、それぞれ上辺及び下辺の外方側に該上辺及び該下辺の長手方向に沿った線状の凸部２２ｄ、２２ｄ’が設けられている。そして、各凸部２２ｄ、２２ｄ’に対応するように、引き戸支持体３０の上面及び下面にガイドレール３２が設けられている。
【００１８】
また、本実施形態の引き戸装置１には、図２〜図４に示すように、上記第１及び第２の引き戸２１及び２２を同期して移動させる連動機構４０が設けられている。上記連動機構４０は、駆動装置４１と、上記駆動装置４１に連結されている駆動軸４３であって、上記第２の引き戸２２を貫通して設けられている駆動軸４３と、上記駆動軸４３の回転力を伝達するように上記駆動軸４３上に設けられている第１の引き戸駆動用歯付回転部材４４ａ、４４ｂ及び第２の引き戸駆動用歯付回転部材４４ｃからなる第１歯付回転部材４４と、上記第１の引き戸駆動用歯付回転部材４４ａ、４４ｂに対応して上記第２の引き戸２２に回転自在に設けられている第２歯付回転部材４５ａ、４５ｂと、上記第１歯付回転部材の第１の引き戸駆動用歯付回転部材４４ａ、４４ｂと上記第２歯付回転部材４５ａ、４５ｂとの間に装架されている回転力伝達部材４６ａ、４６ｂと、上記第２引き戸駆動用歯付回転部材４４ｃを往復運動可能とするように前記引き戸支持体に設けられている歯付回転部材往復部４８と、を備える。すなわち、図示した実施形態においては、第２の引き戸２２の一方の第２パネル部材２２ａの外方に面する側面には、駆動モーター４１が設けられており、第２の引き戸２２を構成する２枚の第２パネル部材２２ａ，２２ａ’を貫通して回動自在に設けられた駆動軸４３が、クラッチ機構４２を介して該駆動モーター４１に連結されている。なお、本実施形態においてはクラッチ機構４２を備えているが、クラッチ機構はなくてもよい。また、駆動モーター４１は、引き戸支持体３０の側面に設けられたスイッチ（図示せず）に連結されている。そして、第２パネル部材２２ａ，２２ａ’の内方に面する側面のそれぞれには、第１引き戸駆動用スプロケット４４ａ、４４ｂが設けられている。また、引き戸支持体３０の内方に面する側面には、第２引き戸駆動用スプロケット４４ｃが設けられている。これら第１引き戸駆動用スプロケット４４ａ、４４ｂ及び第２引き戸駆動用スプロケット４４ｃは、第１スプロケットを構成し、上記駆動軸４３の回転力を伝達できるように、上記駆動軸４３上に設けられている。
【００１９】
また、第２パネル部材２２ａ，２２ａ’の内方に面する側面には、それぞれ上記第１引き戸駆動用スプロケット４４ａ，４４ｂと同じ高さで、所定距離だけ離隔した対応する位置に、第２スプロケット４５ａ，４５ｂが回転自在に設けられている。第１スプロケットの第１引き戸駆動用スプロケット４４ａ，４４ｂと第２スプロケット４５ａ，４５ｂとの間に装架されている回転力伝達部材である無端チェーン４６ａ、４６ｂは、取り付け部４７ａ、４７ｂを介して第１の引き戸２１に固定されている。すなわち、第１スプロケット４４ａ，４４ｂが回転することにより、無端チェーン４６ａ、４６ｂが回転し、同時に取り付け部４７ａ、４７ｂも移動して第１の引き戸２１を移動させ、次いで無端チェーン４６ａ、４６ｂの回転力が第２スプロケット４５ａ，４５ｂに伝達され、第２スプロケット４５ａ、４５ｂを回転させる。更に、駆動モーター４１が位置する面に対向する引き戸支持体３０の内方に面する側面には、第２パネル部材２２ａ’の外方に面する側面に配された第１スプロケットの第２引き戸駆動用スプロケット４４ｃの歯車が噛み合うように配されたチェーン４８が配されている。このチェーン４８は回転する必要はなく、固定されている。
【００２０】
次いで、本実施形態の引き戸装置１の作用について説明する。本実施形態の引き戸装置１を使用して門を閉じる際には、まず、スイッチ（図示せず）を押して、駆動モーター４１を作動させると同時にクラッチ機構４２を駆動軸４３に連結させて、駆動軸４３を回転させ、第１スプロケット４４ａ，４４ｂ，４４ｃを回転させる。これにより、第１スプロケットの第２引き戸駆動用スプロケット４４ｃが回転して第２の引き戸２２を引き戸２の閉鎖方向（図１の矢印方向Ｄ）に向けて移動させる。これと同時に、第１引き戸駆動用スプロケット４４ａ、４４ｂの回転により無端チェーン４６ａ、４６ｂが回転して取り付け部４７ａ、４７ｂ、すなわち第１の引き戸２１を第２の引き戸２２と同じ方向Ｄに向けて移動させる。すなわち、第１の引き戸２１と第２の引き戸２２とは、同期して移動することになる。このとき、第１の引き戸２１は第２の引き戸２２の２枚のパネル部材２２ａ，２２ａ’の間に収納される。
【００２１】
また、本実施形態の引き戸装置１を使用して門を開ける際には、門が閉じた状態から同様の操作を行うことにより、第１及び第２の引き戸２１及び２２を同期して移動させることができる。
【００２２】
さらに、非常時には、クラッチ機構４２を操作して、駆動モーター４１と駆動軸４３との連結を外し、第１の引き戸２１及び第２の引き戸２２の電動移動を停止させる。
【００２３】
本実施形態の引き戸装置１によれば、上述の如く構成されているので、少ない設置スペースで引き戸装置を設置することができ、しかも、第１及び２の引き戸が同期して移動されるので、門の開閉が容易である。
【００２４】
また、駆動モーターにより自動開閉が可能であるので、引き戸の長さが長い場合にも小さな力で開閉が可能である。
【００２５】
さらに、駆動モーターからの駆動力の伝達を遮断するクラッチ機構を有するので、非常時には自動開閉ではなく手動開閉に切り替えることができ、安全である。
【００２６】
なお、本発明の引き戸装置は、上述の実施形態に制限されるものではなく、本発明の趣旨を逸脱しない範囲で種々変更可能である。
【００２７】
たとえば、歯付回転部材としてスプロケットを用い、回転力伝達部材として無端チェーンを用いる例を示したが、スプロケットの代わりにプーリを用いて無端チェーンの代わりに無端ベルトを用いてもよい。またスプロケットの代わりに歯車を用いてもよい。さらに、引き戸が２枚の場合を説明したが、引き戸を３枚以上設けてもよい。
【００２８】
【発明の効果】
本発明の引き戸装置は、外観を損なわずに、引き戸の開閉が容易で、引き戸装置の設置スペースを小さくすることができる。
【００２９】
また、本発明の引き戸装置は、第１の引き戸及び第２の引き戸を連動して移動させる連動機構を有するので、引き戸の開閉を迅速に行うことができる。
【００３０】
さらに、引き戸の開閉を駆動する駆動力を遮断するクラッチ機構を設けることで、非常時に自動開閉から手動開閉に切り替えることができ、安全性にも優れる。
【図面の簡単な説明】
【図1】図１は、本発明の引き戸装置の１実施形態を示す正面図である。
【図２】図２は、図１のＩＩ−ＩＩ断面図である。
【図３】図３は、第１及び第２の引き戸が引き戸支持体に収納された状態における図１のＩＩＩ方向矢視図である。
【図４】図４は、ＩＶ部拡大図である。
【符号の説明】
１：引き戸装置
２０：引き戸
２１：第１の引き戸
２１ａ：第１パネル部材
２１ｂ：凸部
２２：第２の引き戸
２２ａ：第２パネル部材
２２ｂ：上方連結部材
２２ｃ：下方連結部材
２２ｄ：凸部
２２ｅ：ガイドレール
３０：引き戸支持体
３１：開口部
３２：ガイドレール
４０：連動機構
４１：駆動モーター
４２：クラッチ機構
４３：駆動軸
４４ａ、４４ｂ：第１引き戸駆動用スプロケット
４４ｃ：第２引き戸駆動用スプロケット
４５ａ、４５ｂ：第２スプロケット
４６ａ、４６ｂ：無端チェーン
４７：取り付け部
４８：チェーン
【図１】
0003999905.tif 000002
【図２】
0003999905.tif 000003
【図３】
0003999905.tif 000004
【図４】
0003999905.tif 000005